(57)【要約】【課題】本発明は、カメラおよび携帯型電子機器に関し、燃料パックから液体燃料を供給するとともに発電に伴って生成された排液をその燃料パック内に回収し、その燃料パックの取出しの際およびその後においてその燃料パックの内容物の漏洩を防止する。【解決手段】燃料電池と、燃料電池に供給される液体燃料が封入されてた燃料室を有するとともに燃料電池での発電により生成される排液が注入される排液室を有する燃料パックを着脱自在に収容する燃料パック収容室と、燃料パック収容室に収容された燃料パックから燃料電池に液体燃料を送液するとともに燃料電池で生成された排液を排液室に注入する液移送手段と、燃料パックに注入された排液を凝固させる液凝固手段とを備えた。【選択図】      図１１
2004340989.tif 000002
【特許請求の範囲】
【請求項１】
被写体光を捉えて撮影を行なうカメラにおいて、
このカメラの作動用の電力を供給する燃料電池と、
前記燃料電池に供給される液体燃料が封入された燃料室を有するとともに該燃料電池での発電により生成される排液が注入される排液室を有する燃料パックを着脱自在に収容する燃料パック収容室と、
前記燃料パック収容室に収容された燃料パックから前記燃料電池に液体燃料を送液するとともに該燃料電池で生成された排液を前記排液室に注入する液移送手段と、
前記燃料パックに注入された排液を凝固させる液凝固手段とを備えたことを特徴とするカメラ。
【請求項２】
前記液凝固手段は、前記燃料パック内の排液に、凝固剤を、定期もしくは不定期に繰り返し混入させるものであることを特徴とする請求項１記載のカメラ。
【請求項３】
前記凝固剤は、芳香剤を含有するものであることを特徴とする請求項２記載のカメラ。
【請求項４】
前記液凝固手段は、前記燃料パック収容室に収容された燃料パックを該燃料パック収容室から取り出す際に、該燃料パック内の排液に、凝固剤を混入させるものであることを特徴とする請求項１記載のカメラ。
【請求項５】
前記凝固剤は、前記燃料パック収容室に収容されている燃料パックに収容されていたものであることを特徴とする請求項２又は４記載のカメラ。
【請求項６】
前記液移送手段は、前記燃料パック収容室に収容された燃料パックを該燃料パック収容室から取り出す際に、前記燃料電池に残存する液体燃料を該燃料パックに戻すものであって、
前記液凝固手段は、前記燃料パック内の排液と液体燃料とを混合して凝固させるものであることを特徴とする請求項４記載のカメラ。
【請求項７】
電子回路を備えた携帯型電子機器において、
前記電子回路に電力を供給する燃料電池と、
前記燃料電池に供給される液体燃料が封入された燃料室を有するとともに該燃料電池での発電により生成される排液が注入される排液室を有する燃料パックを着脱自在に収容する燃料パック収容室と、
前記燃料パック収容室に収容された燃料パックから前記燃料電池に液体燃料を送液するとともに該燃料電池で生成された排液を前記排液室に注入する液移送手段と、
前記燃料パックに注入された排液を凝固させる液凝固手段とを備えたことを特徴とする携帯型電子機器。
【発明の詳細な説明】
【０００１】
【発明の属する技術分野】
本発明は、被写体光を捉えて撮影を行なうカメラ、および電子回路を備えた携帯型電子機器に関する。
【０００２】
【従来の技術】
近年、定常的に発電を続けることのできる燃料電池の開発が進んできている。その燃料電池の中でも、固体高分子型燃料電池（ＰＥＦＣ）が、デジタルカメラ等の携帯型電子機器の高容量電源として注目されている。特に、このＰＥＦＣの中でも、メタノール水溶液を電池に直接供給するメタノール直接型燃料電池（ＤＭＦＣ）は、小型化に向いていることで注目されている。
【０００３】
ＤＭＦＣは、電力生成過程でメタノール水溶液を消費して水分を排出するという性質があり、このためこのＤＭＦＣを電源として使用するためには液体燃料としてメタノール水溶液を供給するとともに生成された排液としての水分を回収する必要がある。
【０００４】
例えば、特許文献１には、生成された水分を回収するための吸水部材を備えた燃料電池システムが開示されており、また、特許文献２にはカートリッジ状の燃料パック内に燃料水素を入れておいて、その燃料パックから燃料水素を供給するとともに生成された水分をその燃料パック内に回収するという提案がなされている。
【０００５】
【特許文献１】
特開２０００−３３１６９９号公報
【特許文献２】
特開平９−２１３３５９号公報
【０００６】
【発明が解決しようとする課題】
上記の特許文献２に記載されたような、燃料を燃料パックに封入しておき、その燃料パックから燃料を供給するとともに発電の過程で生成された排液をその燃料パック内に収容するという思想自体は評価でき、燃料パックがデジタルカメラ等の携帯型電子機器内にとどまっている間は、液が外部に洩れることを防止しその液が電子回路に悪影響を及ぼさないように工夫することは比較的容易なものの、その燃料パックを取り出す際の排液の漏洩を如何に防ぐかが問題となる。さらには、その燃料パックを取り出す際にその燃料パックの内容物が純粋な水であるときは問題は少ないが、有害物質が含まれるようなシステムの場合は、その燃料パックを取り出した後のその燃料パックからの漏洩も問題となる。
【０００７】
本発明は、上記事情に鑑み、燃料パックから液体燃料を供給するとともに発電に伴って生成された排液をその燃料パック内に回収する場合に、その燃料パックの取出しの際、およびその後において、その燃料パックの内容物の漏洩を防止したカメラおよび携帯型電子機器を提供することを目的とする。
【０００８】
【課題を解決するための手段】
上記目的を達成する本発明のカメラは、被写体光を捉えて撮影を行なうカメラであって、このカメラの作動用の電力を供給する燃料電池と、その燃料電池に供給される液体燃料が封入された燃料室を有するとともにその燃料電池での発電により生成される排液が注入される排液室を有する燃料パックを着脱自在に収容する燃料パック収容室と、燃料パック収容室に収容された燃料パックから燃料電池に液体燃料を送液するとともにその燃料電池で生成された排液を排液室に注入する液移送手段と、燃料パックに注入された排液を凝固させる液凝固手段とを備えたことを特徴とする。
【０００９】
本発明のカメラは、上記の液凝固手段を備えたものであるため、燃料パック内の排液が燃料パックから漏れ出すことが防止される。
【００１０】
ここで、上記本発明のカメラにおいて、上記液凝固手段は、燃料パック内の排液に、凝固剤を、定期もしくは不定期に繰り返し混入させるものであることが好ましく、この場合、上記凝固剤は、芳香剤を含有するものであることがさらに好ましい。
【００１１】
何らかの不良等によりその燃料パックから排液が漏れ出る事態もあり得る。そこで、その燃料パック内の排液に凝固剤を定期的あるいは不定期的に混入させることによりそのような万一の事態に遭遇しても液洩れによる故障等が防止される。ここで、燃料パックをカメラ内に装填したままにしておくと、その燃料パック内に回収されてきた排液が腐敗し悪臭を放つおそれがあるが、凝固剤に芳香剤を含ませておくことにより、悪臭も防ぐことができる。
【００１２】
あるいは、上記本発明のカメラにおいて、上記液凝固手段は、燃料パック収容室に収容された燃料パックをその燃料パック収容室から取り出す際に、燃料パック内の排液に凝固剤を混入させるものであってもよい。
【００１３】
燃料パックからの液洩れのおそれが高いのはその燃料パックをカメラから取り出す際、およびその後であり、したがって燃料パック内の排液に凝固剤を混入させるのは燃料パックを取り出す際であってもよい。
【００１４】
また、上記本発明はカメラにおいて、上記凝固剤は、前記燃料パック収容室に収容されている燃料パックに収容されていたものであることが好ましい。
【００１５】
凝固剤は、燃料パックとは別にカメラ内に収容しておくことも考えられるが、凝固剤を収容した燃料パックを構成しておくことにより、凝固剤を切らしてしまうという事態を避けることができる。
【００１６】
さらに、上記本発明のカメラにおいて、上記液移送手段は、前記燃料パック収容室に収容された燃料パックを燃料パック収容室から取り出す際に、燃料電池に残存する液体燃料を燃料パックに戻すものであって、上記液凝固手段は、燃料パック内の排液と液体燃料とを混合して凝固させるものであることも好ましい形態である。
【００１７】
燃料パックがカメラ内に装填されている間は液洩れは防止されるものの、燃料電池内に液体燃料を残したまま燃料パックが取り出されるとその残存する液体燃料が漏洩してカメラ内の電子回路に悪影響を及ぼすことも考えられる。このような場合、上記の、残存する液体燃料を燃料パック内に回収して凝固させることが好ましい。この場合に、排液と回収された液体燃料を混合して凝固することにより、排液が有害な場合、あるいは液体燃料が有害な場合であっても希釈されて凝固されることになり好ましい。
【００１８】
また、上記目的を達成する本発明の携帯型電子機器は、電子回路を備えた携帯型電子機器において、その電子回路に電力を供給する燃料電池と、その燃料電池に供給される液体燃料が封入された燃料室を有するとともにその燃料電池での発電により生成される排液が注入される排液室を有する燃料パックを着脱自在に収容する燃料パック収容室と、燃料パック収容室に収容された燃料パックから燃料電池に液体燃料を送液するとともにその燃料電池で生成された排液を排液室に注入する液移送手段と、燃料パックに注入された排液を凝固させる液凝固手段とを備えたことを特徴とする。
【００１９】
本発明は、カメラのみでなく、カメラを含む携帯型電子機器一般に適用することができる。また、上記したカメラに関する本発明の各種態様も携帯型電子機器一般に適用することができる。
【００２０】
【発明の実施の形態】
以下、本発明の実施形態について説明する。
【００２１】
図１は、本発明の一実施形態のカメラの外観斜視図である。
【００２２】
このカメラ１００の前面中央には撮影レンズを内蔵したレンズ鏡胴１０１が備えられており、その斜め上部には、撮影に同期して閃光を発光するフラッシュ発光部１０２が配備されている。
【００２３】
また、このカメラ１００の上面にはシャッタボタン１０３が備えられている。
【００２４】
このシャッタボタン１０３を押下すると、レンズ鏡胴１０１内の撮影レンズを通った被写体光がカメラ内部のＣＣＤ固体撮像素子で受光されて画像データが生成され、その画像データがこのカメラの内部に装填されている記録媒体に記録される。
【００２５】
図２は、図１に示すカメラ１００の背面および底面を示した斜視図である。
【００２６】
カメラ１００の背面には、液晶表示部１０４が備えられており、ここにはＣＣＤ固体撮像素子で捉えた被写体像が表示される。
【００２７】
またこのカメラ１００の側面には、画像データを記録する記録媒体が取出し自在に装填される記録媒体装填口１０５が設けられている。
【００２８】
さらに、このカメラ１００の底面には、燃料パック収容室１０６が形成されており、さらに、その燃料パック収容室１０６を開閉自在に覆う開閉蓋１０７が備えられている。この燃料パック収容室１０６には、燃料パック２００が収容される。
【００２９】
図３は、図１、図２に示すカメラの回路ブロック図である。
【００３０】
制御部１１１は、撮影レンズ１１２のピント調整用の駆動、ＣＣＤ固体撮像素子１１３の画像取込みのための制御、画像処理部１１４における画像処理の制御等、このカメラ全体の制御を担っている。
【００３１】
撮影レンズ１１２から取り込まれた被写体光はＣＣＤ固体撮像素子１１３で捉えられて画像データに変換され、画像処理部１１４で必要な画像処理を受けて液晶表示部１０４に画像が表示される。ここで、シャッタボタン１０３が押されるとＣＣＤ固体撮像素子１１３で被写体光を捉えて得られた画像データは、画像処理部１１４で記録用に画像処理を受け、記録媒体１２０に記録される。
【００３２】
図２にも示す燃料パック２００には、液体燃料としてのメタノール水溶液が充填されており、その燃料パック２００内のメタノール水溶液は燃料電池３００内に移液されその燃料電池３００内で発電のために消費される。燃料電池３００ではその発電で水が生成され、この水は排液として燃料パック２００内に戻される。
【００３３】
燃料電池の構造、作用の詳細は後述する。
【００３４】
このカメラは、二次電池３９０から電力の供給を受けて作動するが、二次電池３９０内の電力が不足してくると、制御部１１１はコンバータ３８０を作動させ、燃料電池３００ではそのコンバータ３８０の制御下で発電が行なわれ、その発電による電力で二次電池３９０が充電される。
【００３５】
また、制御部１１１には、２台のポンプ３０７，３０８、モータ３０９、および時計１１６が接続されている。２台のポンプ３０７，３０８は、燃料電池３００と燃料パック２００との間の移液用であり、モータ３０９は、後述するようにして、燃料パック２００内の排液に凝固剤を混入させるためのものであり、時計１１６はモータ１１５を作動させるタイミングを計時するためのものである。尚、ポンプ３０７，３０８およびモータ３０９は、この図３では、燃料電池３００の外部に示されているが、これは図示の煩雑さを避けるためであり、実際は、図５に示すように燃料電池３００に組み込まれている。詳細は後述する。
【００３６】
図４は、本実施形態で採用されている燃料電池の原理説明図である。
【００３７】
この図４の原理説明図に示す燃料電池はメタノール直接型燃料電池（ＤＭＦＣ）であり、このＤＭＦＣでは、メタノール水溶液（ＣＨ３ＣＯＯＨ＋Ｈ２Ｏ）と酸素（Ｏ２）との化学反応により発電が行なわれる。
【００３８】
このＤＭＦＣは、燃料極（アノード）３２と空気極（カソード）３３との間にプロトン導電膜３１が挟まれた構造を有し、メタノール水溶液（ＣＨ３ＣＯＯＨ＋Ｈ２Ｏ）は燃料極（アノード）３２における触媒作用により水素イオン（Ｈ＋）と電子（ｅ−）と二酸化炭素（ＣＯ２）に分解される。二酸化炭素（ＣＯ２）は燃料極（アノード）３２から放出され、水素イオン（Ｈ＋）はプロトン導電膜３１中を移動して空気極（カソード）３３に達し、その空気極（カソード）３３に供給されてまた酸素（Ｏ２）と結びついて水（Ｈ２Ｏ）が生成され、その水（Ｈ２Ｏ）が空気極（カソード）３３から排出される。また、燃料極（アノード）３２における化学反応で生成された電子（ｅ−）により、空気極３３と燃料極３２との間に電流が流れ、これがすなわち、このＤＭＦＣで電力が生成された（発電が行なわれた）ことになる。
【００３９】
図５は、本実施形態の燃料電池の断面図である。
【００４０】
この燃料電池３００は中空箱体を形成するケース３０１のほぼ中央が仕切板３０２で仕切られた構造となっている。この仕切板３０２は、プロトン導電膜３０２１が燃料極（アノード）３０２２と空気極（カソード）３０２３とで挟まれた構造を有し、燃料極（アノード）３０２２は、燃料槽３０３を区画する壁の１つを構成しており、空気極（カソード）３０２３は、空気槽３０４を区画する壁の１つを構成している。また、燃料槽３０３には、フィルタ３０５が設置されており、この燃料槽３０３で生成される二酸化炭素（ＣＯ２）は、このフィルタ３０５を通して外部に放出される。また、燃料パック２００から燃料槽３０３内にメタノール水溶液を吸い上げる際は、その燃料槽３０３内の空気もそのフィルタ３０５を通じて放出される。また、空気槽３０４にもフィルタ３０６が設置されており、このフィルタ３０６を通して外部から空気槽３０４に空気が流入する。
【００４１】
また、このケース３０１の下部には、燃料取入口３１１と排水口３１２が形成されており、燃料取入口３１１からは、コンバータ３８０により制御されたポンプ３０７の作用により、後述する燃料パック２００（図６参照）から液体燃料であるメタノール水溶液（ＣＨ３ＣＯＯＨ＋Ｈ２Ｏ）が燃料槽３０３内に取り込まれ、空気槽３０４内で生成された排液としての水（Ｈ２Ｏ）は、コンバータ３８０により制御されたポンプ３０８により、排水口３１２を通って燃料パック２００（図６参照）内に移送される。ここで、本実施形態では、燃料パック２００が、燃料電池３００の下方に位置するにもかかわらず、ポンプ３０８を備えているのは、図１、図２に示すカメラは様々な姿勢を取り得るため、燃料パック２００が燃料電池３００の常に下に位置するとは限らないからである。
【００４２】
また、この図５に示す燃料電池３００には、さらに、モータ３０９が備えられている。このモータ３０９の回転軸３０９ａには、図６に示す、燃料パック２００の回転羽根の軸２４１が嵌合し、このモータ３０９の回転により凝固剤室２３０内の凝固剤が排液室２２０に混入するようになっている。詳細は図６、図７を参照しながら後述する。
【００４３】
また、この図５に示す燃料電池３００には、さらに、燃料取入口３１１内に突出部３１３が形成されている。この突出部３１３は、図６の燃料パック２００の燃料供給口２１１のシール部材２１４を破き、燃料パック２００の燃料室２１０の内部のメタノール水溶液を燃料電池３００の燃料槽３０３に取り込むことができるようにするためのものである。
【００４４】
図６は、図５の燃料電池に燃料を供給する燃料パックの断面図である。
【００４５】
この燃料パック２００は、中室の筐体２０１の内部中央がシート材２０２で仕切られて、燃料室２１０と排液室２２０とからなる２つの部屋が形成されている。
【００４６】
図６の燃料パック２００が図２に示すようにしてカメラ１００に装填されると燃料パック２００の燃料供給口２１１が燃料電池３００（図５参照）の燃料取入口３１１に嵌入して、燃料パック２００の燃料供給口２１１を塞ぐシール部材２１４が、燃料電池３００の燃料取入口３１１の突出部３１３によって破かれ、また燃料パック２００の排液取入口２２１が燃料電池３００の排水口３１２に嵌入し、さらに燃料パック２００の軸２４１が燃料電池３００のモータ３０９の回転軸３０９ａに嵌入する。
【００４７】
図６に示す燃料パック２００の燃料室２１０は、図５の燃料電池３００で燃料として消費されるメタノール水溶液で充たされており、その上部の燃料供給口２１１は、シール部材２１４で塞がれている。このシール部材２１４は、上述したとおり、この燃料パック２００が図２に示すようにカメラ１００内に装填されて図５の燃料電池３００と結合されたときに燃料取入口３１１内部の突出部３１３により破られる。また、図６の燃料パック２００の燃料室２１０内には、燃料供給口２１１から燃料室２１０の下部近傍までパイプ２１２が延びている。これのパイプ２１２は、図５の燃料電池３００に備えられたポンプ３０７により、燃料パック２００の燃料室２１０内のメタノール水溶液を吸い上げることができるようにするためのものである。
【００４８】
また、この図５の燃料パック２００の排液室２２０は当初は空であり、図５の燃料電池３００での発電により生成された水が排液取入口２２１からその排液室に流入し、その排液室２２０に溜められる構造となっている。
【００４９】
また、この燃料パック２００の上部中央には、凝固剤室２３０が形成されており、そこには、芳香剤含有の凝固剤が蓄えられている。
【００５０】
その凝固剤室２３０の、排液室２２０とを区切る壁には、凝固剤を排液室２２０に添加するための開口２３１が形成されている。この開口２３１は、羽根部材２４０により塞がれており、その羽根部材２４０により定期的に少しずつ添加される。
【００５１】
図７は、羽根部材の斜視図である。
【００５２】
この羽根部材２４０は、回転軸２４１の下部に、凝固剤添加用の開口２３１（図６参照）を塞ぐ平板羽根２４２と、凝固剤室の底壁を掃いて凝固剤を開口２３１に運ぶＬ字型の運搬羽根２４３とを備えている。回転軸２４１は、図６の燃料パック２００が図５の燃料電池３００に嵌め合わされたときに燃料電池３００のモータ３０９の回転軸３０９ａに嵌合してモータ３０９の回転力を受ける。図６の凝固剤室２３０の開口２３１は平時は平板羽根２４２で塞がれており、図３の時計１１６により一定時間が経過するごとにモータ３０９により一回転する。すると、運搬羽根２４３のＬ字型の内側の空間２４３ａ内の凝固剤が開口２３１に運ばれてその開口２３１から排液室２２０内に凝固剤が添加される。この凝固剤の一回の添加量は、運搬羽根２４３で一回に運ばれる量に限られており、したがって凝固剤室２３０内の凝固剤は一定時間ごとにほぼ定量ずつ、排液室２２０に添加される。排液室２２０に添加された凝固剤は、排液室２２０内の排液（ここでは水）を凝固させる。
【００５３】
尚、排液室２２０内に最初から凝固剤を投入しておかないのは、凝固剤を排液室２２０内に最初から投入しておくと、排液室２２０内に初期に運ばれてきた排液（水）で凝固が進んでしまい、その後排液室２２０に運ばれてきた排液（水）を凝固させることができなくなってしまうためである。あるいは、排液室２２０に初期の凝固の分だけ凝固剤を入れておき、その凝固剤が凝固に使われた後は図６、図７に示す構造により凝固剤を少しずつ添加するようにしてもよい。
【００５４】
またここでは、時間計測により凝固剤を定期的に添加する旨説明したが、凝固剤の添加は必ずしも定期的である必要はなく、例えばカメラの電源のオンオフが所定の回数に達するごとや撮影ショット数が所定のショット数に達するごとなど、不定期に添加してもよい。
【００５５】
図８は、燃料電池の他の例を示す断面図である。
【００５６】
この図８の燃料電池は、図１、図２に示すカメラに、図５に示す燃料電池に代えて採用することのできる燃料電池である。尚、この図８には、図５の燃料電池と共通の要素には図５において用いた符号と同一の符号を用い、この図８の燃料電池の説明にあたっては図５の燃料電池との相違点のみについて説明する。
【００５７】
この図８の燃料電池３００には、図５の燃料電池に備えられていたモータ３０９は備えられておらず、そのモータに代わり、図１０に示す燃料パックの嵌合部材２５０と嵌合する嵌合部３２１が設けられている。この嵌合部３２１は、図１０の示す燃料パックが図１，図２に示すカメラに装填されて図８の燃料電池に嵌合したとき、図１０の燃料パックの嵌合部材２５０と、以下に説明する作用を成す程度に比較的固く嵌合する。
【００５８】
図９は、図８に示す燃料電池および後述する図１０、図１１に示す燃料パックに適合する、カメラの回路ブロック図である。
【００５９】
前述の実施形態の回路ブロック図（図３参照）と比べ、図３の回路ブロック図に示されていた、凝固剤添加用のモータ３０９と凝固剤添加のタイミングを計時するための時計１１６が削除されており、それに代わり、スイッチ３６１が示されている。このスイッチ３６１は、図２に示す、燃料パック収容室１０６を覆う開閉蓋１０７の開閉を検出するスイッチである。このスイッチ３６１では、その開閉蓋１０７が完全に閉じられた状態から少し開きかけた段階で開閉蓋１０７が開いたことが検出される。
【００６０】
図１０は、図８の燃料電池に適合する燃料パックの断面図である。
【００６１】
この図１０の燃料パックにおいて、前述の図６の燃料パックの要要に対応する要素には図６において付した符号と同一の符号を付して示し、相違点のみについて説明する。
【００６２】
図１０の燃料パック２００には、図７を参照して説明した羽根部材２４０は備えられておらず、それに代わり、嵌合部材２５０が備えられている。また、凝固剤を収容する凝固剤室２３０の底は、隔膜２３２で仕切られており、さらにその凝固剤室２３０には、その隔膜２３２を切るためのカッタ２３３，２３４が配備されている。
【００６３】
この隔膜２３２は、嵌合部材２５０の下部２５１に固定されている。また、この嵌合部材２５０の下部２５１には、燃料室２１０と排液室２２０とを区切るシート材２０２の上端も固定されている。
【００６４】
また、この嵌合部材２５０は、凝固剤室２３０の上壁に対し上下にスライド自在となっている。
【００６５】
図１０に示す燃料パック２００がカメラ内に装填され、使用された後、その燃料パック２００をカメラから取り出す場面について説明する。
【００６６】
燃料パック３００をカメラから取り出そうとして図２に示す開閉蓋２０７を開けると、図９に示すスイッチ３６１によりその開閉蓋１０７が開けられたことが検知され、図８に示すコンバータ３８０の制御により、その図８の燃料電池３００を構成するポンプ３０７が逆回転し燃料電池３００の燃料槽３０３にメタノール水溶液が残存している場合にその残存しているメタノール水溶液が燃料槽３０３から図１０の燃料パック２００の燃料室２１０に移される。燃料電池３００の空気槽３０４内で生成された水は、生成される都度、ポンプ３０８の作動により燃料パック２００の排液室２２０に移されているが、燃料電池３００のポンプ３０７を逆回転させて燃料槽３０３に残存する燃料を燃料パック２００に移すタイミングでポンプ３０８も動作させ、燃料電池３００の空気槽３０４内に万一にも水が残っているときにその水を燃料パック２００に移すようにしてもよい。このようにして、燃料パック２００をカメラから取り出そうとすると、燃料電池３００内は燃料（メタノール水溶液）も水も残存していない状態となる。
【００６７】
図１１は、カメラから取り出された状態の燃料パックの断面図である。
【００６８】
燃料パック２００をカメラから取り出そうとすると、図８の燃料電池の嵌合部３２１と図１０、図１１の燃料パック２００の嵌合部材２５０とがかなり強く嵌合しているため、燃料パック２００を取り出すときに、燃料パック２００の嵌合部材２５０が、図１１に示すように、相対的に図１１の上方向に引き上げられた状態となり、それに伴って凝固剤室の底を区画していた隔膜２３２が引き上げられカッタ２３３，２３４と接触して切断され、凝固剤室内に供給されていた凝固剤が一斉に添加される。また、燃料パック２００の燃料室２１０と排液室２２０とを区画していたシート材２０２も嵌合部材２５０によって引き上げられ、そのシート材２０２の下端が筐体２０１の内壁から剥がれ燃料パック２００の内部が１つの部屋となって燃料電池から回収されたメタノール水溶液と排液（水）とが混合し、有害なメタノール水溶液が希釈されるとともに、凝固剤の添加によりその希釈されたメタノール水溶液が凝固する。
【００６９】
したがって使用済の燃料パックをカメラから安全に取り出すとともに安全に廃却することができる。
【００７０】
尚、ここでは燃料パックをカメラから取り出そうとする力により液を混合させるとともに凝固剤を添加するようにしたが、図２の開閉蓋を開く力で同様のことを行なってもよい。
【００７１】
また、ここでは燃料電池で動作するデジタルカメラを例に挙げて説明したが、本発明は携帯型電子機器一般に適用することができる。
【００７２】
【発明の効果】
以上説明したように、本発明によれば、燃料パックを安全に取り出し、安全に廃却することができる。
【図面の簡単な説明】
【図１】本発明の一実施形態のカメラの外観斜視図である。
【図２】図１に示すカメラの背面および底面を示した斜視図である。
【図３】図１、図２に示すカメラの回路ブロック図である。
【図４】本実施形態で採用されている燃料電池の原理説明図である。
【図５】本実施形態の燃料電池の断面図である。
【図６】図５の燃料電池に燃料を供給する燃料パックの断面図である。
【図７】羽根部材の斜視図である。
【図８】燃料電池の他の例を示す断面図である。
【図９】図８に示す燃料電池および後述する図１０、図１１に示す燃料パックに適合する、カメラの回路ブロック図である。
【図１０】図８の燃料電池に適合する燃料パックの断面図である。
【図１１】カメラから取り出された状態の燃料パックの断面図である。
【符号の説明】
１００  カメラ
１０６  燃料パック収容室
１０７  開閉蓋
２００  燃料パック
２０１  中室の筐体
２０２  シート材
２１０  燃料室
２１１  燃料供給口
２１２  パイプ
２１４  シール材
２２０  排液室
２２１  排液取入口
２３０  凝固剤室
２３１  開口
２３２  隔膜
２３３，２３４  カッタ
２４０  羽根部材
２４１  回転軸
２４２  平板羽根
２４３  運搬羽根
２５０  嵌合部材
２５１  下部
３００  燃料電池
３０１  ケース
３０２  仕切板
３０２１  プロトン導電膜
３０２２  燃料槽（アノード）
３０２３  空気板（カソード）
３０３  燃料槽
３０４  空気槽
３０５，３０６  フィルタ
３０７，３０８  ポンプ
３０９  モータ
３１１  燃料取入口
３１２  排水口
３１３  突出部
３２１  嵌合部
３６１  スイッチ
【図１】
2004340989.tif 000003
【図２】
2004340989.tif 000004
【図３】
2004340989.tif 000005
【図４】
2004340989.tif 000006
【図５】
2004340989.tif 000007
【図６】
2004340989.tif 000008
【図７】
2004340989.tif 000009
【図８】
2004340989.tif 000010
【図９】
2004340989.tif 000011
【図１０】
2004340989.tif 000012
【図１１】
2004340989.tif 000013